(57)【要約】【課題】浴室内の乾燥の進み具合に応じた乾燥運転の適切な残時間の表示を行い、その残時間に亘り乾燥運転を実行するとともに、乾燥が完了する前に乾燥運転が終了してしまう「早切れ」の発生を抑制することが可能な浴室乾燥機を提供する。【解決手段】（１）第１の所定時間乾燥運転を実行した後に、湿度検出用循環加熱運転の実行中に検出された湿度の上昇速度が第１の閾値以下である場合、乾燥運転の残時間の表示を開始するとともに、残時間に亘り前記乾燥運転を実行し、（２）湿度検出用循環加熱運転の実行中に検出された湿度の上昇速度が、第１の閾値以下ではない場合、湿度の上昇速度が、第１の閾値より大きく設定された第２の閾値以下であり、かつ、乾燥運転の開始時点からの乾燥運転の累積時間が第１の所定時間より長い第２の所定時間以上であると判定したときに、乾燥運転の残時間の表示を開始するとともに、残時間に亘り前記乾燥運転を実行する。【選択図】図７
2018084353.tif 000002
【特許請求の範囲】
【請求項１】
浴室に設置された機器本体内に空気を流入させ、機器本体内に流入した空気を屋外に排出させる換気ファンと、
前記機器本体内に空気を流入させ、機器本体内に流入した空気を噴出し口を通して吹き出させる循環ファンと、
前記機器本体内に設けられ前記循環ファンによって機器本体内に取り込まれた空気を加熱する加熱部と、
機器本体内に流入した空気の湿度を検出する湿度検出手段と、
時間表示部と、を備えた浴室乾燥機であって、
前記換気ファンを作動させるとともに、前記循環ファンを作動させて前記循環ファンによって機器本体内に取り込まれた空気を前記加熱部により加熱する乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が第１の閾値以下であると判定された場合には、前記時間表示部への、乾燥運転の残時間の表示を開始し、その後、前記残時間に亘り前記乾燥運転を実行し、
（１）前記乾燥運転の開始時点から第１の所定時間に亘り前記乾燥運転を実行した後に、前記湿度検出用循環加熱運転の実行中において前記湿度検出手段によって検出された前記湿度の上昇速度が第１の閾値以下である場合、
前記時間表示部への乾燥運転の残時間の表示を開始し、その後、前記残時間に亘り前記乾燥運転を実行し、
（２）前記乾燥運転の開始時点から第１の所定時間に亘り前記乾燥運転を実行した後に、前記湿度検出用循環加熱運転の実行中において前記湿度検出手段によって検出された前記湿度の上昇速度が、前記第１の閾値以下ではない場合、
前記湿度検出用循環加熱運転の実行中において前記湿度検出手段によって検出された前記湿度の上昇速度が、前記第１の閾値より大きく設定された第２の閾値以下であり、かつ、前記乾燥運転の開始時点からの前記乾燥運転の累積時間が前記第１の所定時間より長い第２の所定時間以上であると判定したときに、前記時間表示部への乾燥運転の残時間の表示を開始し、その後、前記残時間に亘り前記乾燥運転を実行すること
を特徴とする浴室乾燥機。
【請求項２】
前記湿度検出用循環加熱運転の実行中における、所定期間の開始時の前記湿度検出手段による検出湿度と、前記所定期間の終了時の前記湿度検出手段による検出湿度との差によって、前記湿度の上昇速度を判定するように構成されていることを特徴とする請求項１記載の浴室乾燥機。
【発明の詳細な説明】
【技術分野】
【０００１】
本発明は、浴室を乾燥させるために用いられる機器である浴室乾燥機に関する。
【背景技術】
【０００２】
浴室を乾燥させるために用いられる浴室乾燥機には、例えば、特許文献１に開示されているような浴室乾燥機がある。
【０００３】
この特許文献１に開示されている浴室乾燥機は、送風のみでの乾燥運転を中心として浴室内の乾燥を行い、温風による仕上げ乾燥運転を行うことで、エネルギの節約を図るようにした浴室乾燥機、すなわち、省エネルギ性に配慮した浴室乾燥機である。
【０００４】
しかしながら、温風による仕上げ乾燥運転を行う時間が、第１、第２の予備温風乾燥運転を行ったときの湿度検出手段による検出湿度に基づいて決定されるように構成されていることから、浴室内の乾燥の程度に応じた適切な時間が設定されないおそれがある。つまり、予備温風乾燥運転を行うときには換気ファンの駆動によって浴室内に外気が流入するため、浴室内の乾燥の程度を必ずしも正確に反映しない、外気と浴室内の空気とが混合した空気の湿度によって、温風による仕上げ乾燥運転を行う時間が決定されることになるため、温風による仕上げ乾燥運転を行う時間が、浴室内の乾燥の程度に応じた適切な時間に設定されない場合がある。
【０００５】
これに対し、特許文献２に開示されている浴室乾燥機にあっては、換気ファンと循環ファンを作動させ、機器本体内に取り込まれた空気を循環ファンによって機器本体内で循環させることにより循環する空気を加熱部により加熱する乾燥運転の実行中に、換気ファンを停止するとともに、循環ファンの作動および加熱部による加熱を継続する、湿度検出用循環加熱運転を実行し、湿度検出用循環加熱運転の実行中に、湿度検出手段によって検出された湿度の上昇速度が所定の上昇速度以下であると判定したときに、時間表示部への、乾燥運転の残時間の表示を開始し、その後、残時間に亘り上述の乾燥運転を実行するように構成されている。すなわち、特許文献２の浴室乾燥機においては、換気ファンの駆動による浴室内への外気の流入が行われない状態における浴室内の湿度の変化率に基づいて、乾燥運転の残時間の表示を行い、その後、残時間に亘り前記乾燥運転を実行するようにしている。
【０００６】
このように、換気ファンの停止中の、外気の流入のない状態における湿度の上昇速度に基づいて、乾燥運転の残時間の表示を行い、残時間に亘り乾燥運転を行うことにより、特許文献１の場合のように無駄に乾燥運転時間が長くなることを回避することが可能になる。
【先行技術文献】
【特許文献】
【０００７】
【特許文献１】特開２０１３−００５８７３号公報
【特許文献２】特開２０１５−１８８４５８号公報
【発明の概要】
【発明が解決しようとする課題】
【０００８】
ところで、特許文献２の浴室乾燥機は、乾燥運転を所定時間（例えば２５分）行った後、湿度検出用循環加熱運転の実行中に、湿度検出手段によって検出された湿度の上昇速度が所定の上昇速度（固定値）以下であると判定したときに、時間表示部への、乾燥運転の残時間の表示を開始し、その後、残時間に亘り前記乾燥運転を実行するように構成されている。したがって特許文献２の浴室乾燥機においては、冬季のように浴室の温度が低く、浴室内の空気中の水分が少ない（重量絶対湿度が低い）場合、夏季のように浴室の温度が比較的高く、浴室内の空気中の水分が多い（重量絶対湿度が高い）場合に比べて、湿度検出手段によって検出される湿度は低く、浴室の乾燥が進んでいない状態でも、湿度の上昇速度が低く検出される傾向がある。
【０００９】
そのため、低く検出された湿度の上昇速度に基づいて乾燥運転の残時間の表示が行われ、その残時間に亘って乾燥運転が実行されることになる。
そして、その場合、十分な乾燥時間を確保することができず、不十分な乾燥状態で乾燥運転が終了してしまうという、いわゆる「早切れ」を引き起こすことになる。
【００１０】
ここで、上述の「早切れ」が生じないようにするためには、湿度検出用循環加熱運転を開始するまでに行う乾燥運転の所定時間を長く設定して、浴室が甚だしく濡れている場合や、浴室内に多くの衣類が干されている場合においても、適度な乾燥状態に達すると考えられる時間に亘って乾燥運転を行った後、湿度検出用循環加熱運転を実行することが考えられる。
そして、湿度検出用循環加熱運転において、湿度の上昇速度が所定の値（固定値）以下であると判定したときに、時間表示部への、乾燥運転の残時間の表示を開始し、その後、残時間に亘り乾燥運転を実行するように構成すればよいと考えられる。
【００１１】
しかしながら、湿度検出用循環加熱運転を開始するまでに行う乾燥運転の上記所定時間を長くすると、浴槽があまり濡れていない場合や、浴室内に少しの衣類しか干されていない場合に、必要以上に長時間に亘る乾燥運転が行われることになり、省エネルギの観点から好ましくないという問題点があり、また、乾燥運転が長時間に亘るため、使い勝手が悪いという問題点がある。
【００１２】
本発明は、上記の課題を解決するものであり、浴槽があまり濡れていない場合や、浴室内に少しの衣類しか干されていない場合に、必要以上に長時間に亘る乾燥運転が行われることを防止することが可能で、また、浴室が甚だしく濡れていたり、浴室内に多くの衣類が干されていたりする場合に、いわゆる「早切れ」が生じることを抑制、防止して、十分な乾燥を行うために必要な乾燥運転時間を確保することが可能な浴室乾燥機を提供することを目的とする。
【課題を解決するための手段】
【００１３】
上記の目的を達成するために、本発明の浴室乾燥機は、
浴室に設置された機器本体内に空気を流入させ、機器本体内に流入した空気を屋外に排出させる換気ファンと、
前記機器本体内に空気を流入させ、機器本体内に流入した空気を噴出し口を通して吹き出させる循環ファンと、
前記機器本体内に設けられ前記循環ファンによって機器本体内に取り込まれた空気を加熱する加熱部と、
機器本体内に流入した空気の湿度を検出する湿度検出手段と、
時間表示部と、を備えた浴室乾燥機であって、
前記換気ファンを作動させるとともに、前記循環ファンを作動させて前記循環ファンによって機器本体内に取り込まれた空気を前記加熱部により加熱する乾燥運転の実行中に、
前記換気ファンを停止するとともに、前記循環ファンの作動および前記加熱部による加熱を継続する、湿度検出用循環加熱運転を実行し、
前記湿度検出用循環加熱運転の実行中における、前記湿度検出手段によって検出された湿度の上昇速度が第１の閾値以下であると判定された場合には、前記時間表示部への、乾燥運転の残時間の表示を開始し、その後、前記残時間に亘り前記乾燥運転を実行し、
（１）前記乾燥運転の開始時点から第１の所定時間に亘り前記乾燥運転を実行した後に、前記湿度検出用循環加熱運転の実行中において前記湿度検出手段によって検出された前記湿度の上昇速度が第１の閾値以下である場合、
前記時間表示部への乾燥運転の残時間の表示を開始し、その後、前記残時間に亘り前記乾燥運転を実行し、
（２）前記乾燥運転の開始時点から第１の所定時間に亘り前記乾燥運転を実行した後に、前記湿度検出用循環加熱運転の実行中において前記湿度検出手段によって検出された前記湿度の上昇速度が、前記第１の閾値以下ではない場合、
前記湿度検出用循環加熱運転の実行中において前記湿度検出手段によって検出された前記湿度の上昇速度が、前記第１の閾値より大きく設定された第２の閾値以下であり、かつ、前記乾燥運転の開始時点からの前記乾燥運転の累積時間が前記第１の所定時間より長い第２の所定時間以上であると判定したときに、前記時間表示部への乾燥運転の残時間の表示を開始し、その後、前記残時間に亘り前記乾燥運転を実行すること
を特徴としている。
【００１４】
本発明の浴室乾燥機においては、前記湿度検出用循環加熱運転の実行中における、所定期間の開始時の前記湿度検出手段による検出湿度と、前記所定期間の終了時の前記湿度検出手段による検出湿度との差によって、前記湿度の上昇速度を判定するように構成されていることが好ましい。
【発明の効果】
【００１５】
本発明の浴室乾燥機は、上述のよう構成されており、（１）乾燥運転の開始時点から第１の所定時間に亘り乾燥運転を実行した後に、湿度検出用循環加熱運転の実行中において湿度検出手段によって検出された湿度の上昇速度が第１の閾値以下である場合、時間表示部への乾燥運転の残時間の表示を開始し、その後、残時間に亘り乾燥運転を実行し、（２）乾燥運転の開始時点から第１の所定時間に亘り乾燥運転を実行した後に、湿度検出用循環加熱運転の実行中において湿度検出手段によって検出された湿度の上昇速度が、第１の閾値以下ではない場合、湿度検出用循環加熱運転の実行中において湿度検出手段によって検出された湿度の上昇速度が、第１の閾値より大きく設定された第２の閾値以下であり、かつ、乾燥運転の開始時点からの乾燥運転の累積時間が第１の所定時間より長い第２の所定時間以上であると判定したときに、時間表示部への乾燥運転の残時間の表示を開始し、その後、残時間に亘り乾燥運転を実行するようにしているので、浴槽があまり濡れていない場合や、浴室内に少しの衣類しか干されていない場合に、必要以上の長時間に亘って乾燥運転が行われてしまうことを防止することができる。また、浴室が甚だしく濡れていたり、浴室内に多くの衣類が干されていたりする場合に、十分な乾燥を行うために必要な時間に亘って乾燥運転を行うことが可能になり、浴室や衣類などが乾燥する前に乾燥運転が終了してしまう、いわゆる「早切れ」が生じることを抑制、防止することが可能になる。
【００１６】
また、湿度検出用循環加熱運転の実行中における、所定期間の開始時の湿度検出手段による検出湿度と、所定期間の終了時の湿度検出手段による検出湿度との差から、湿度の上昇速度を求めるようにした場合、簡単に湿度の上昇速度を測定することが可能になり、本発明をより実効あらしめることができる。
【図面の簡単な説明】
【００１７】
【図１】本発明の一実施形態にかかる浴室乾燥機の構成を示す縦断面図である。
【図２】本発明の一実施形態にかかる浴室乾燥機の内部の配管の要部構成を説明する管路図である。
【図３】本発明の一実施形態にかかる浴室乾燥機を浴室に設置した状態の斜視図である。
【図４】本発明の一実施形態にかかる浴室乾燥機の制御部のブロック図である。
【図５】本発明の一実施形態にかかる浴室乾燥機が備える脱衣所用の操作器の正面図である。
【図６】本発明の一実施形態にかかる浴室乾燥機が備える浴室用の操作器の正面図である。
【図７】本発明の一実施形態にかかる浴室乾燥機の乾燥運転の動作を示すフローチャートである。
【発明を実施するための形態】
【００１８】
以下、本発明の実施形態を示して、その特徴とするところをさらに詳しく説明する。
【００１９】
［実施形態］
この実施形態にかかる浴室乾燥機は、図１〜３に示すように、ユニットバスなどの浴室２に設置されるミスト機能付浴室暖房乾燥機（以下、単に「浴室暖房乾燥機Ａ」という）として構成されている。
【００２０】
この浴室暖房乾燥機Ａは、浴室２（図３）内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧するとともに温風を吹き出すミストサウナ浴、を実行する機能を備えている。
【００２１】
また、この浴室暖房乾燥機Ａを浴室２に設置するにあたっては、例えば、図３に示すように、浴槽７の上方の、浴室２の天井８に設置される。
【００２２】
浴室暖房乾燥機Ａの本体である機器本体（浴室暖房乾燥機本体）９は天井裏に配置されている。具体的には、例えば、吊り金具１０により天井スラブなどに吊り支持し、機器本体（浴室暖房乾燥機本体）９の下面を浴室２の天井８の開口部１１に臨ませている。また、天井８の下面には開口部１１を覆うグリル板１２（図１）が配置されており、グリル板１２が機器本体９の下面側に取り付けられている。
【００２３】
また、図１および図２に示すように、機器本体（浴室暖房乾燥機本体）９内には、熱交換器（温風用熱交換器）（加熱部）１３および送風機１４（循環ファン１４ａ，排気ファン１４ｂ）が内装されている。ただし、図２では、排気ファン１４ｂ、逆風止め５０などの図示は省略している。
この温風用熱交換器１３は、内部に温水を通すことで外部を流れる空気、つまり浴室２内に送り込まれる空気と温水とを熱交換して、空気を加熱するように構成されている。この温風用熱交換器１３は機器本体９に配管した暖房用温水管路１５の途中に配置されており、暖房用温水管路１５には給湯暖房機などの熱源機１６（図３）から温水が供給されるように構成されている。
【００２４】
また、図１および図２に示すように、暖房用温水管路１５には温風用熱交換器１３への温水の供給を開閉する熱動弁（暖房用開閉弁）１７が設けられており、暖房用温水管路１５にはこの管路を流れる温水の温度を検出する暖房温水サーミスタ（往き温水温度検出部）ＴＨ２が配設されている。
【００２５】
なお、熱源機１６で加熱された温水は、往き配管５１を経由して浴室暖房乾燥機Ａに備える往き配管接続部５２（図１）から浴室暖房乾燥機Ａに送り込まれ、浴室暖房乾燥機Ａに備える温風用熱交換器１３で放熱した後、浴室暖房乾燥機Ａが備える戻り配管接続部６２（図１）から戻り配管６１を経由して熱源機１６へ戻るように、往き配管５１と、戻り配管６１とが配設されている。
【００２６】
図１に示すように、この実施形態にかかる浴室暖房乾燥機Ａにおいて、送風機１４は、浴室内空気を循環させる浴循環ファン１４ａと、浴室内空気を外部へ排出する換気ファン１４ｂとを備えた構成とされている。また、屋外への排気口の手前には、逆流を防止するための逆風止め５０を備えている。
【００２７】
さらに、機器本体（浴室暖房乾燥機本体）９の下面側には循環ファン１４ａで送風される空気を浴室２内に吹き出す吹き出し口３が設けられている。この吹き出し口３には可動ルーバー１８が回動可能に装着されており、可動ルーバー１８を回動することにより吹き出し口３の開閉、および、吹き出し口３から吹き出す風向の変更を行うことができるように構成されている。グリル板１２には浴室２内の空気を吸い込む吸い込み口１が設けられており、この吸い込み口１の近傍には、浴室温度サーミスタＴＨ３が配設されている。
【００２８】
また、浴室暖房乾燥機Ａは、ミスト浴の機能を具備するためにミスト発生部１９が組み込まれている。ミスト発生部１９のミストノズル４は、グリル板１２の一部に配置されており、ミスト用給水管路２０がミストノズル４に連通している。
【００２９】
図２に示すように、ミストノズル４として、０．５リットル／ｍｉｎ程度の流量で温水のミストを噴霧する２個のミストノズル４ａ，４ｂが配設されており、ミストノズル４ａ，４ｂの手前には電磁弁などで構成されるミスト開閉弁２１ａ，２１ｂが設けられている。このミスト開閉弁２１ａ，２１ｂを開閉することにより、ミストノズル４ａやミストノズル４ｂから選択的に温水のミストが噴霧される。
【００３０】
２つのミストノズル４（４ａ，４ｂ）から温水のミストを噴霧すると、強のミスト量でミストが噴霧され、２つのミストノズル４ａ，４ｂの一方からから温水のミストを噴霧すると、弱のミスト量で噴霧されるように構成されている。
この実施形態の浴室暖房乾燥機Ａにおいては、ミスト発生部１９が機器本体（浴室暖房乾燥機）９の上に搭載されている。
【００３１】
ミスト用給水管路２０には、水道水、いわゆる上水が供給されるように構成されており、入口側から順にストレーナ２２、給水電磁弁（給水開閉弁）２３が設けられている。上記暖房用温水管路１５には温風用熱交換器１３と並列になるようにミスト加熱用管路２４が設けられており、このミスト加熱用管路２４にはミスト加熱用管路２４を流れる温水の流れを制御する比例弁２５が設けられている。
【００３２】
また、ミスト加熱用管路２４とミスト用給水管路２０との間には液―液熱交換器で構成されるミスト用熱交換器２６が配設されており、ミスト加熱用管路２４を流れる温水により、ミスト用給水管路２０を流れるミスト用の水が加熱されるように構成されている。ミスト用給水管路２０におけるミスト用熱交換器２６とミスト開閉弁２１ａ，２１ｂとの間には、ミスト用給水管路２０を流れる温水の温度を検出するミスト温度サーミスタＴＨ１が配設されている。
【００３３】
また、浴室暖房乾燥機Ａは、図３に示すように、浴室２外の脱衣所に設けた操作器５や浴室２内に設けた操作器３０にてリモコン操作されるように構成されている。
【００３４】
図５に示すように、脱衣所用の操作器５には、タイマー表示部３１、タイマー設定スイッチ３２、風向スイッチ３３、ミストサウナスイッチ３４、乾燥スイッチ６、暖房スイッチ３６、涼風スイッチ３７、換気スイッチ３８、停止スイッチ３９が設けられている。
【００３５】
また、図６に示すように、浴室用の操作器３０には、状態表示部４０、ミストサウナスイッチ１３４、ミストスイッチ１４１、温度設定スイッチ１４２、暖房スイッチ１３６、涼風スイッチ１３７、風向スイッチ１３３、ミスト入浴時間計測用のストップウォッチのスタート／ストップスイッチ１４３、リセットスイッチ１４５、停止スイッチ１３９が設けられている。
【００３６】
この実施形態にかかる浴室暖房乾燥機Ａにおいては、グリル板１２の吸い込み口１近傍に、吸気の湿度を検知する湿度検出手段２７（図１、図２）が配設されている。湿度検出手段２７としては、例えば、ＮＴＣサーミスタなどの感温素子で構成された湿度センサを用いることができる。
【００３７】
湿度検出手段(湿度センサ)２７は、吸気と接するように開放された湿度測定用素子と密閉ケースに密封された温度補正用素子とを一体に備えており、吸気の湿度が変化すると、湿度測定用素子の熱伝導率が変化することで、両素子の出力値に差が生じ、この差を検出することにより絶対湿度値を測定することができるように構成されている。
【００３８】
また、図４は、浴室暖房乾燥機Ａの制御部Ｂの一例を示す図である。制御部Ｂには、メモリ２８、演算回路２９などが内蔵され、上記操作器５や操作器３０をリモコン操作することで制御部Ｂにて、以下に説明するような制御が行われるように構成されている。
【００３９】
次に、この実施形態にかかる浴室暖房乾燥機Ａの乾燥運転について説明する。
なお、ここでは、自動乾燥運転時における、残り運転時間表示機能を備えた浴室暖房乾燥機Ａの乾燥運転について図７を参照しつつ説明する。
【００４０】
乾燥運転を開始するにあたっては、脱衣所用の操作器５の乾燥スイッチ６（図５）を押し操作する。この操作によって、乾燥［エコ］ランプ３５が点灯し、乾燥運転が開始する。
【００４１】
なお、本発明の浴室乾燥機の特徴は、後述する湿度検出用循環加熱運転によって、乾燥対象である浴室２や浴室２内に吊るされた、濡れた衣類の乾燥の進み具合を判定し、その判定結果に応じてタイマー表示部（時間表示部）３１への、乾燥運転の残時間（例えば３０分）の表示を開始し、その後、時間の経過とともにタイマー表示部（時間表示部）３１に表示した残時間のカウントダウンを行い、タイマー表示部（時間表示部）３１に表示した残時間がゼロになるまで乾燥運転を継続するように構成した点にある。
【００４２】
つまり、本発明の浴室乾燥機の特徴は、
（１）乾燥対象である浴室や浴室内に吊るされた濡れた衣類が甚だしく濡れているときには、後述する湿度検出用循環加熱運転中における湿度の上昇速度Ｅが大きく、
（２）乾燥対象である浴室や浴室内に吊るされた濡れた衣類がかなり乾燥してきたときには、乾燥対象が有する水分量が少なく、後述する湿度検出用循環加熱運転中における湿度の上昇速度Ｅが、第１の閾値Ｘ以下となり、
（３）上記（１）と（３）の中間の、乾燥対象である浴室や、浴室内に吊るされた濡れた衣類がある程度まで乾燥してきたときには、湿度検出用循環加熱運転中における湿度の上昇速度Ｅが、上記第１の閾値Ｘよりは大きいが、上記第１の閾値Ｘより大きく設定された第２の閾値Ｙよりは小さくなること
を利用して、乾燥対象である浴室や、浴室内に吊るされた濡れた衣類などの乾燥の進み具合を判定し、その判定結果に応じてタイマー表示部（時間表示部）３１への、乾燥運転の残時間（例えば３０分）の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続するように構成した点にある。
【００４３】
そして、（ａ）乾燥対象である浴室や衣類がかなり乾燥してきたとき（上述の湿度の上昇速度Ｅが上記第１の閾値Ｘより小さくなったとき）には、すぐにタイマー表示部（時間表示部）３１への、乾燥運転の残時間（例えば３０分）の表示を開始して全体の乾燥時間の短縮を図るとともに、（ｂ）乾燥対象である浴室や、浴室内に吊るされた濡れた衣類がある程度まで乾燥してきたとき（湿度の上昇速度Ｅが第１の閾値Ｘより大きい第２の閾値Ｙ以下であるとき）には、それまでに行ってきた乾燥運転の累積時間がある程度長い場合（例えば、後述のように乾燥開始後５０分以上経過している場合）に、タイマー表示部（時間表示部）３１への、乾燥運転の残時間（例えば３０分）の表示を開始してそれ以降乾燥時間が無駄に長引くことの防止を図るようにした点に特徴を有する。
【００４４】
以下、図７を参照しつつ、さらに詳しく説明する。
この実施形態に浴室暖房乾燥機Ａにおいては、乾燥運転が開始すると、換気ファン１４ｂが作動するとともに、循環ファン１４ａが作動し、循環ファン１４ａによって機器本体（浴室暖房乾燥機本体）９内に取り込まれた空気が、温風用熱交換器（加熱部）１３により加熱される（図７：ステップ＃００１）。この態様の乾燥運転が通常乾燥運転である。
【００４５】
そして、上述の通常乾燥運転開始後、所定の時間Ｔ１（例えば２５分）が経過したかどうかを判定し、この時間Ｔ１が経過していた場合、以下の、湿度検出用循環加熱運転を実行する（ステップ＃００２）。なお、この時間Ｔ１が、本発明における第１の所定時間に相当する。
【００４６】
そして、第１の所定時間Ｔ１（例えば２５分）が経過していた場合、換気ファン１４ｂを停止し、湿度検出用循環加熱運転を実行する（ステップ＃００３）
なお、湿度検出用循環加熱運転では、換気ファン１４ｂを停止するとともに、循環ファン１４ａの作動および温風用熱交換器（加熱部）１３による加熱を継続する。
【００４７】
ステップ＃００２において、第１の所定の時間Ｔ１（例えば２５分）が経過していない場合、ステップ＃００１の換気ファン１４ｂを作動させる通常乾燥運転に戻る。
【００４８】
湿度検出用循環加熱運転の実行中に、湿度検出手段２７によって検出された湿度の上昇速度Ｅが第１の閾値Ｘ以下であるかどうかの判定が行われる（ステップ＃００４）。
【００４９】
なお、この実施形態では、湿度の上昇速度Ｅは、換気ファン１４ｂの停止中における、所定期間（この実施形態では７分）の開始時の湿度検出手段２７による検出湿度と、前記所定期間の終了時の前記湿度検出手段２７による検出湿度との差（湿度差）から求めるようにしている。すなわち、湿度検出用循環加熱運転中の換気ファン１４ｂの停止中における、所定期間（例えば７分）の開始時の湿度検出手段２７による検出湿度Ｈ１と、この所定期間（例えば７分）の終了時の湿度検出手段２７による検出湿度Ｈ２を求め、Ｈ２とＨ１との差Ｈ（＝Ｈ２−Ｈ１）を所定時間（例えば７分）で除して、湿度の上昇速度Ｅを求めるようにしている。
【００５０】
湿度検出手段２７によって検出された湿度の上昇速度Ｅが第１の閾値Ｘ以下である場合、それまで表示されていなかった、タイマー表示部（時間表示部）３１への、乾燥運転の残時間（例えば３０分）の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続する（ステップ＃００５）
【００５１】
ステップ＃００４において、湿度検出手段２７によって検出された湿度の上昇速度Ｅが第１の閾値Ｘ以下でない場合、湿度検出手段２７によって検出された湿度の上昇速度Ｅが、上述の第１の閾値Ｘより大きく設定された第２の閾値Ｙ以下であるかどうかが判定される（ステップ＃００６）
【００５２】
ステップ＃００６において、湿度検出手段２７によって検出された湿度の上昇速度Ｅが、上述の第１の閾値Ｘより大きい第２の閾値Ｙ以下の場合、乾燥運転開始から所定時間Ｔ２（本発明における第２の所定時間に相当：この実施形態では５０分）以上が経過したかどうかが判定される（ステップ＃００７）。
【００５３】
ステップ＃００６において、湿度検出手段２７によって検出された湿度の上昇速度Ｅが、上述の第１の閾値Ｘより大きい第２の閾値Ｙ以下でない場合、ステップ＃００１の換気ファン１４ｂを作動させる通常乾燥運転に戻る。
【００５４】
ステップ＃００７において、乾燥運転開始から第２の所定時間Ｔ２（５０分）以上経過していない場合、ステップ＃００１の換気ファン１４ｂを作動させる通常乾燥運転に戻る。
【００５５】
ステップ＃００７において、乾燥運転開始から第２の所定時間Ｔ２（５０分）以上経過している場合、それまで表示されていなかった、タイマー表示部（時間表示部）３１への、乾燥運転の残時間（例えば３０分）の表示を開始して、その後、時間の経過とともにタイマー表示部（時間表示部）３１に表示した残時間のカウントダウンを行い、タイマー表示部（時間表示部）３１に表示した残時間がゼロになるまで乾燥運転を継続する（ステップ＃００５）。
【００５６】
以上の動作によって、（１）乾燥運転の開始時点から第１の所定時間Ｔ１に亘り乾燥運転を実行した後に、湿度検出用循環加熱運転の実行中において湿度検出手段２７によって検出された湿度の上昇速度Ｅが第１の閾値Ｘ以下である場合、時間表示部３１への乾燥運転の残時間の表示を開始し、その後、残時間に亘り乾燥運転を実行し、（２）乾燥運転の開始時点から第１の所定時間Ｔ１に亘り乾燥運転を実行した後に、湿度検出用循環加熱運転の実行中において湿度検出手段２７によって検出された湿度の上昇速度Ｅが、第１の閾値Ｘ以下ではない場合、湿度検出用循環加熱運転の実行中において湿度検出手段２７によって検出された湿度の上昇速度Ｅが、上述の第１の閾値Ｘより大きく設定された第２の閾値Ｙ以下であり、かつ、乾燥運転の開始時点からの乾燥運転の累積時間が第１の所定時間Ｔ１より長い第２の所定時間Ｔ２以上であると判定したときに、時間表示部への乾燥運転の残時間の表示を開始し、その後、残時間に亘り乾燥運転を実行することになる。
【００５７】
この実施形態にかかる浴用ミスト装置は、以上のように構成され、第１の閾値Ｘは、第２の閾値Ｙより小さく設定されており、浴槽があまり濡れていない場合や浴室内に少しの衣類しか干されていない場合に、必要以上に長時間に亘り乾燥運転が行われることを防止することができる。また、浴室がひどく濡れている場合や浴室内に多くの衣類が干された場合には、必要な乾燥が得られる時間（第２の所定時間）に亘って乾燥運転が行われることになり、いわゆる「早切れ」が生じることを抑制、防止することができる。
【００５８】
また、この実施形態では、上述のように、換気ファン１４ｂの停止中における、所定期間（この実施形態では７分）の開始時の湿度検出手段２７による検出湿度と、前記所定期間の終了時の湿度検出手段２７による検出湿度との差から、湿度の上昇速度を求めるように構成している、つまり、湿度検出用循環加熱運転中の換気ファン１４ｂの停止中における、所定期間（例えば７分）の開始時の湿度検出手段２７による検出湿度Ｈ１とこの所定期間（例えば７分）の終了時の湿度検出手段２７による検出湿度Ｈ２を求め、Ｈ２とＨ１との差Ｈ（＝Ｈ２−Ｈ１）を所定時間（例えば７分）で除して、湿度の上昇速度Ｅを求め、その値Ｅを第１の閾値Ｘおよび第２の閾値Ｙとの関係を調べるようにしている。
【００５９】
その結果、湿度の上昇速度Ｅと、第１の閾値Ｘ、第２の閾値Ｙとの関係を容易、かつ確実に判定することが可能になり、湿度の上昇速度に応じた、適切な時間に亘って乾燥運転を行うことで、無駄なく適切な乾燥運転を実行することが可能な浴室乾燥機を実現することができる。
【００６０】
なお、本発明は、上記実施形態に限定されるものではなく、発明の範囲内において種々の応用、変形を加えることが可能である。
【符号の説明】
【００６１】
１        吸い込み口
２        浴室
３        吹き出し口
５        操作器
９        機器本体（浴室暖房乾燥機本体）
１２      グリル板
１３      熱交換器（温風用熱交換器）（加熱部）
１４      送風機
１４ａ    循環ファン
１４ｂ    換気ファン
１６      熱源機
２７      湿度検出手段（湿度センサ）
２９      演算回路
３１      タイマー表示部（時間表示部）
５１      往き配管
５２      往き配管接続部
６１      戻り配管
６２      戻り配管接続部
Ａ        浴室暖房乾燥機
Ｂ        制御部
ＴＨ１    ミスト温度サーミスタ
ＴＨ２    往き温水温度検出部（暖房温水サーミスタ）
ＴＨ３    浴室温度サーミスタ
【図１】
2018084353.tif 000003
【図２】
2018084353.tif 000004
【図３】
2018084353.tif 000005
【図４】
2018084353.tif 000006
【図５】
2018084353.tif 000007
【図６】
2018084353.tif 000008
【図７】
2018084353.tif 000009